(57)【要約】      （修正有）【課題】救急救命処置・手当具等を収納することしか出来ない、活用性の乏しい単機能のインナーケースに、形状の工夫により救急救命処置・手当具（被覆・止血等の器具）などとしての機能を付加し、携行資材の総量を減らして、労働者の負担を低減させることのできるインナーケースを提供する。【解決手段】一枚の展開可能なシート状のインナーケース本体８にベルト１とバックル７を取り付け、インナーケース本体８をもって患部等を覆い、締め付けることで被覆・止血帯、各種器具の固定具として、さらに形状の工夫により、棒状の巻き取り具を容易に挿入して締め上げることの出来る巻き取り具用スリット１２をベルト部に設けて、さらに強力に締め付け、緊迫止血帯としても利用できるようにすることで、携行資材の総量を減らし、コストや装着スペース、装備重量を軽減し、使用者の負担を減らすことが出来るようにした。【選択図】図１
0003171712.tif 000002
【実用新案登録請求の範囲】
【請求項１】
インナーケース本体の形状を工夫し、ベルトとバックルを取り付けて、人体等の特定の部位にインナーケースを巻きつけ、固定できる機能を有するインナーケース。
【請求項２】
請求項１の機能を用いて、人体の創傷等に対して、被覆帯として用いることの出来るインナーケース。
【請求項３】
請求項１の機能を用いて、より強く締め付けることにより、直接圧迫止血を行うことの出来るインナーケース。
【請求項４】
請求項１の機能を用いることに加えて、ベルト部の形状を工夫し、棒状の巻き取り具を容易に挿入し、これを利用することで、さらに強力に締め付け、緊迫止血を行うことの出来るインナーケース。
【請求項５】
請求項１の機能を用いて、ガーゼ、止血剤、副木などの各種器具を人体表面等に固定できるインナーケース。
【請求項６】
インナーケースとして用いる際の面ファスナーを効果的（インナーケースを人体等に正しく巻きつけた状態では人体表面に面ファスナーが触れない）に配置することで、人体に装着したときの不快感を低減させることが出来るインナーケース。
【考案の詳細な説明】
【技術分野】
【０００１】  本考案は、迅速に救急救命処置・手当具（止血剤、止血帯、三角巾等）等を迅速に取り出し、手元にて展開できるインナーケースの改良に関するものである。
【背景技術】
【０００２】  職務上、生命に深刻な影響を及ぼす負傷を負う可能性のある兵士や自衛官、警察官、消防官などが受傷時の救命率を向上させるために救急救命処置・手当具（止血剤、止血帯、三角巾等）を身体に装着した携行袋等に入れて携行する場合がある。【０００３】  この際、使用する複数の器具を整頓して一括し、また手元にて使用する器具の選定を容易に行うため、複数の救急救命処置・手当具等をインナーケース（複数の物品を整理して収納し、各種の容器などに格納するための容器または袋。以下、インナーケースと呼称）に一括して収納し、身体に装着した携行容器や携行袋に装填し保持、携行する場合がある。
【考案の概要】
【考案が解決しようとする課題】
【０００４】  インナーケースは技術背景で説明したように、複数の器具等を整理して収納したり、一括して携行し取り出したり、手元にて使用する器具等を選別できるなどの利点があるものの、内容品を使いきってしまえば、用途は無くなってしまう。技術背景で説明した労働者は、本来の職務遂行の物品でさえ、その重量や身体への装着が体力の消耗や疲労の大きな原因となっているにもかかわらず付加的な装備として救急救命に用いる器具を携行しなければならない。さらには本来必要とされないインナーケースを携行するとなれば、たとえ少量であっても労働者の苦痛を助長し、その職務の遂行を阻害しかねない。【０００５】  インナーケース方式は取り出しやすさや、取り出して救急救命処置・手当を実施する際の内容品の器具等の選別などにあたって優れているものの、限られた装着スペースや嵩む装備品重量のなかで、活用性に乏しいインナーケースに、装着スペースや装備重量を割き、労働者の負担を増加させてしまうという課題、問題点が生じる。【０００６】  そこで本考案は、インナーケースの機能を損なうことなく、インナーケース自体に救急救命処置・手当等に利用できる機能を付加し、救急救命処置・手当に用いる器具等の予備を減らすことで、本来の任務に用いる物品のための装着スペースを増加させ、装備重量を減らして労働者の負担を軽減させることを目的とする。
【課題を解決するための手段】
【０００７】  本考案は、上記課題を解決するために、内容品を保持するだけの機能しか持たなかったインナーケースを、展開可能な縦長のシート状に形成し、ベルトとバックルによる留め機能を付け加え、さらに形状を工夫することにより、人体等に巻きつけ固定できる機能を付与して、下記の効果を得られるようにした。【０００８】  前項の機能により、インナーケース本体を、創傷部等に巻きつけ、或いはより強く締め付けることで、包帯に類似した受傷部位の保護機能、直接圧迫止血帯として利用できる機能、緊迫止血帯として利用できる機能、ガーゼや止血剤、副木などを固定できる機能など、救急救命処置・手当具としての機能を持たせた。【０００９】  被覆帯として用いる際に使用するベルトに、締め付けることによりベルト全体が緊張した状態でも巻き取り具（棒形状）を挿入できるよう巻き取り具用の間隙（スリット）を設け、より軽易に緊迫止血できる機能を持たせた。【００１０】  内容品を保持するインナーケースの機能として、展開可能な縦長のシート状のインナーケースを、縦方向に丸めるようにして面ファスナーで留め、取り出しハンドルで取り出すようにすることで、従来のインナーケースと同じ機能を持たせた。【００１１】  インナーケースとして使う際に使用する面ファスナーＡの下にベルトを通し、同じく面ファスナーＢを、ベルトを留めるバックルより離れた位置に配置することで被覆・止血帯等として使用したとき、人体表面に面ファスナーが触れることを防ぎ、不快感を低減させた。
【考案の効果】
【００１２】  本来、整理整頓と一括収納の機能しか持たなかったインナーケースに、救急救命処置・手当のなかで大きな割合を占める出血のコントロールを行う器具たる機能を持たせることで、内容品の救急救命処置・手当具等を使い切った後でも、救急救命処置・手当に用いることが可能で、予備の止血帯や被覆帯などを個別に携行する必要がなくなり、本来の職務で用いる装備品に装着スペースや重量を割くこと、装備全体の重量の低減により体力の消耗を抑えることなどが可能となり、また、携行する予備品の数を減らすことでコストを削減することも可能となった。【００１３】  形状の工夫により、本考案のインナーケースは緊迫止血帯として、ベルトや布などの代用品を用いるより、はるかに容易に緊迫止血を行うことが可能であり、携行する予備品の数を減らすことで、前項と同じ効果をもたらすことが可能となった。【００１４】  形状の工夫により、本考案のインナーケースは、ガーゼや止血剤、副木などを固定する機能を有し、これらの固定のための予備品の数を減らすことで、前項と同じ効果をもたらすことが可能となった。
【図面の簡単な説明】
【００１５】
【図１】本考案の内側を上にした斜視図である。
【図２】本考案の外側を上にした斜視図である。
【図３】本考案の収納状態を表す斜視図である。
【図４】本考案の巻き取り具用スリット部の詳細を表した斜視図である。
【図５】本考案の収納状態における断面図である。
【図６】本考案の使用状態＜被覆、止血機能＞の実施状態を示す斜視図である。
【図７】本考案の使用状態＜緊迫止血機能＞を実施する状態を示す斜視図である
【図８】本考案の＜被覆・止血機能＞を実施した状態を示す断面図である。
【考案を実施するための形態】
【００１６】  以下、本考案の実施の形態について、図面を参照しつつ詳細に説明すれば、図１は本考案の実施例を表すもっとも一般的な救急救命処置・手当具を兼ねるインナーケースの斜視図を示す。本考案のインナーケースは、内側を上面に表した図１及び外側を上面に表した図２で示すように、インナーケースの機能を担う、縦長のインナーケース本体８、インナーケースを閉じるために用いるインナーケースの内側の面ファスナーＡ５、及び外側の面ファスナーＢ６、内容品を固定する内容品固定バンド３、インナーケースを取り出す際に用いる取り出しハンドル４、止血及び被覆等の機能にて使用するベルト１、バックル７、留めベルト２、巻き取り具用スリット１２、巻き取り具用スリット下留め１３から構成される。
【実施例１】
【００１７】  実施例１では内容品を収納する実施例を説明する。まず、内容品を内容品固定バンド３にはさみ込んだ後、インナーケース本体８を丸めるようにして折りたたみ、図１で示す面ファスナーＡ５と面ファスナーＢ６を、図３で示すように合わせて留め、収納できる状態にして、既存の収納袋等に格納する。
【実施例２】
【００１８】  実施例２では本考案のインナーケースを用いて患部９の被覆又は止血等を行う要領の説明を行う。本考案のインナーケースを止血又は被覆等のために用いる場合には、インナーケース内側にあるベルト１、外側にあるバックル７を用いる。
図６及び図８で示すように、患部９に、インナーケース本体８の外側が当たるように（内容品固定バンド３が外側、取り出しハンドル４が内側になるように）あてがい、ベルト１をバックル７に通し、所用に応じ引き締め、被覆又は止血等の効果を得る。その際、留めベルト２はベルト１がぶれることを防ぐ。
【実施例３】
【００１９】  本考案のインナーケースを緊迫止血帯として使用するなど、さらに締め付ける力を強くしたい場合の説明を行う。実施例２と同様に、目的とする部位にインナーケース本体８をあてがい、ベルト１をバックル７に通し、引き締める。
巻き取り具用スリット１２は構造上、ベルト１が緊張したとしても、巻き取り具用スリット１２の部位より短い長さである巻き取り具用スリット下留め１３の働きにより、間隙（スリット）を生じた状態を保つ。
この間隙に、棒状の巻き取り具１１を差し込み、図７のような状態として、巻き取り具用スリット１２及びベルト１が捻じれるように、インナーケース本体に対して水平に回転させて、ベルト１を所要に応じて締め上げる。これによってインナーケース本体８とベルト１で構成される径をさらに縮小させて、強力に締め付け、これによって緊迫止血の効果を得る。
【実施例４】
【００２０】  本考案のインナーケースをガーゼや止血剤、副木などの固定具として利用する場合には、使用する器具を人体にあてがった後、実施例２と同様に、インナーケース本体８の外側が、固定する器具に当たるようにあてがい、ベルト１をバックル７に通し、所用に応じ引き締め、目的とする器具を固定する。
【符号の説明】
【００２１】１ベルト
２留めベルト
３内容品固定バンド
４取り出しハンドル
５面ファスナーＡ
６面ファスナーＢ
７バックル
８インナーケース本体
９患部
１０ベルト付け根
１１巻き取り具
１２巻き取り具用スリット
１３巻き取り具用スリット下留め
１４人体の四肢等
【図１】
0003171712.tif 000003
【図２】
0003171712.tif 000004
【図３】
0003171712.tif 000005
【図４】
0003171712.tif 000006
【図５】
0003171712.tif 000007
【図６】
0003171712.tif 000008
【図７】
0003171712.tif 000009
【図８】
0003171712.tif 000010
【手続補正書】
【提出日】平成23年7月22日(2011.7.22)
【手続補正１】
【補正対象書類名】実用新案登録請求の範囲
【補正対象項目名】全文
【補正方法】変更
【補正の内容】
【実用新案登録請求の範囲】
【請求項１】
インナーケース本体を縦長のシート状に形成し、取り付けられたベルトとバックルを利用することで、人体等の特定の部位に巻きつけ、固定できる機能を有するインナーケース。
【請求項２】
インナーケースとして使う際の蓋に相当する部分で用いられる面ファスナーＡの下にベルトを通し、インナーケースとして使う際に、蓋に相当する部分と接合させて閉じる部分で用いられる面ファスナーＢから離れた位置にバックルを配置することで、人体等の特定部位に固定したとき、人体表面に面ファスナーが触れることを防ぎ、不快感を低減せしめることを特徴とする請求項１に記載のインナーケース。